(57)【特許請求の範囲】
【請求項１】
注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体と、前記蓋体に設けられた装着部にスライド機構を介して一方側と他方側にスライド移動自在に装着された移動部材と、を備え、
前記装着部には第１保持部が設けられ、前記移動部材には第２保持部が設けられ、前記移動部材を前記一方側又は前記他方側にスライドさせることで、前記第１保持部と前記第２保持部との間に前記注射針を保持又は落下させるための開口が形成され、
前記移動部材を前記一方側に移動させて保持位置に位置させると、前記第１保持部と前記第２保持部とは、相互に協働して前記注射針を保持するための注射針保持部を構成し、  前記注射針保持部に前記注射針が保持されると、前記注射針の片側は前記第１保持部に形成された第１保持領域により保持され、前記注射針の他側は前記第２保持部に形成された第２保持領域により保持され、
前記移動部材を前記保持位置から前記他方側に移動させると、前記注射針保持部が開放されて前記注射針の落下が許容されるように構成されており、
前記移動部材が前記保持位置に位置づけられて、前記注射針が前記第１保持領域及び前記第２保持領域により保持されている状態において、前記第１保持部の開口端及び前記第２保持部の開口端は何れも基準中心軸線よりも前記一方側に位置し、前記基準中心軸線は、前記注射針の中心を通り、前記移動部材のスライド移動方向に対して実質上垂直に延びる線であることを特徴とする注射針廃棄用容器。
【請求項２】
前記蓋体側の前記第１保持部の前記開口端の前記基準中心軸線からのずれ量Ｄは、前記注射針の前記針保持部材の外径をｄとしたときに（０．１〜０．４）ｄである（０．１ｄ≦Ｄ≦０．４ｄ）ことを特徴とする請求項１に記載の注射針廃棄用容器。
【請求項３】
前記第２保持部には非保持領域が設けられ、前記第２保持領域には前記針保持部材に設けられた係合凹部と係合する係合突部が設けられ、前記非保持領域には前記係合凹部と係合するための係合突部は設けられてなく、
前記移動部材が前記保持位置に位置づけられた状態において、前記第２保持領域は、前記基準中心線よりも前記他方側に位置し、前記非保持領域は、前記第２保持領域から前記基準中心線を超えて前記一方側に延びていることを特徴とする請求項２に記載の注射針廃棄用容器。
【請求項４】
前記非保持領域は、前記一方側に向かうに従い径方向外方に拡がるように或いは前記一方側に向けて直線状に延びることを特徴とする請求項３に記載の注射針廃棄用容器。
【請求項５】
前記係合突部は、前記注射針の外周面に形成された縦リブと係合する高さを備え、且つ、前記移動部材のスライド時に前記注射針の外周面の前記縦リブに対してスライド方向の力が加わらないように形状付けられている請求項４に記載の注射針廃棄用容器。
【請求項６】
注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体とを備え、
前記蓋体は、第１保持部と、前記第１保持部に対して一方側と他方側にスライド移動させることで前記第１保持部との間に前記注射針を保持又は落下させるための開口が形成される第２保持部と、を有し、
前記第２保持部を前記一方側の端部に位置する保持位置まで移動させると、前記第１保持部と前記第２保持部とは、相互に協働して前記注射針を保持するための注射針保持部を構成し、前記注射針保持部に前記注射針が保持されると、前記注射針の片側は前記第１保持部に形成された第１の保持領域により保持され、前記注射針の他側は前記第２保持部に形成された第２の保持領域により保持され、
前記第２保持部を前記保持位置から前記他方側に移動させると、前記注射針保持部が開放されて前記注射針の落下が許容されるように構成されており、
前記注射針保持部は、前記一方側に位置する前記第１の保持領域と、前記他方側に位置する前記第２の保持領域と、前記第１の保持領域と前記第２の保持領域との間に位置する非保持領域を備え、
前記第１の保持領域及び前記第２の保持領域は各々に前記注射針を保持するための複数の係合突部を有する一方、前記非保持領域は前記注射針を保持するための係合突部を有しておらず、
前記注射針が前記注射針保持部により保持されている状態において、前記第１の保持領域及び前記第２の保持領域は前記注射針と係合する一方、前記非保持領域は前記注射針と係合しないことを特徴とする注射針廃棄用容器。
【請求項７】
前記係合突部は、前記注射針の外周面に形成された縦リブと係合する高さを備え、且つ、前記第２保持部のスライド時に前記注射針の外周面の前記縦リブに対してスライド方向の力が加わらないように形状付けられていることを特徴とする請求項６に記載の注射針廃棄用容器。
【請求項８】
注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体とを備え、
前記蓋体は、第１保持部と、前記第１保持部に対して一方側と他方側にスライド移動させることで前記第１保持部との間に前記注射針を保持又は落下させるための開口が形成される第２保持部と、を有し、
前記第２保持部を前記一方側に移動させて保持位置に位置させると、前記第１保持部と前記第２保持部とは、相互に協働して前記注射針を保持するための注射針保持部を構成し、  前記注射針保持部に前記注射針が保持されると、前記注射針の片側は前記第１保持部に形成された第１保持領域により保持され、前記注射針の他側は前記第２保持部に形成された第２保持領域により保持され、
前記第２保持部を前記保持位置から前記他方側に移動させると、前記注射針保持部が開放されて前記注射針の落下が許容されるように構成されており、
前記第２保持部が前記保持位置に位置づけられて、前記注射針が前記第１保持領域及び前記第２保持領域により保持されている状態において、前記第１保持部の開口端及び前記第２保持部の開口端は何れも基準中心軸線よりも前記一方側に位置し、前記基準中心軸線は、前記注射針の中心を通り、前記第２保持部のスライド移動方向に対して実質上垂直に延びる線であることを特徴とする注射針廃棄用容器。
【発明の詳細な説明】
【技術分野】
【０００１】
本発明は、使用済みの注射針を注射器本体から取り外して廃棄するための注射針廃棄用容器に関する。
【背景技術】
【０００２】
病院等で使用される注射器には、注射針の針保持部材が注射器本体の先端部に着脱自在に螺着されるねじ式タイプのものがある。このような注射器は、感染症防止のために、使用後には注射器本体と注射針とに分別して廃棄される。その際、作業者が直接手で注射針を把持して注射器本体から取り外すと、誤って自身の手指などを注射針で傷付けるおそれがある。
【０００３】
そこで、従来より、使用済みの注射針を注射器本体から安全に取り外して廃棄することができる注射針廃棄用容器が利用されている（例えば、特許文献１参照）。この注射針廃棄用容器は、医療廃棄物を収容するための容器本体と、容器本体の開口部を覆う蓋体とを備え、蓋体の装着部には、スライド機構を介して移動部材が移動自在に支持されている。この装着部の一端部には、注射針の針保持部材の片側を保持するための第１保持部が設けられ、移動部材には、注射針の針保持部材の他側を保持するための第２保持部が設けられている。
【０００４】
この注射針廃棄用容器に注射針を廃棄するときには、まず、移動部材を所定方向に蓋体側の第１保持部に向けて保持位置まで移動させ、蓋体側の第１保持部と移動部材側の第２保持部により注射針保持部を構成する。そして、注射針の針保持部材を注射針保持部に挿入し、かく挿入した状態で注射器本体を離脱方向に回動させて針保持部材を注射器本体から取り外し、その後、移動部材を後退位置まで移動させる。かくすると、注射針の針保持部材から移動部材の第２保持部が離れ、蓋体の第１保持部に保持された針保持部材（即ち、注射針）がその自重により蓋体の落下開口を通して落下して容器本体内に収容される。
【先行技術文献】
【特許文献】
【０００５】
【特許文献１】特許第５４４４３３２号公報
【発明の概要】
【発明が解決しようとする課題】
【０００６】
しかしながら、上述した注射針廃棄用容器では、次の通りの解決すべき問題がある。移動部材が保持位置に保持された状態では、蓋体側の第１保持部と移動部材側の第２保持部とは注射針保持部を構成するが、従来の注射針廃棄用容器では、蓋体側の第１保持部の開口端、即ち針保持部の分割軸線は、この注射針保持部の中心を通る軸線であって、移動部材のスライド方向に対して垂直な方向に延びる軸線と一致している。さらに、注射針保持部が全周にわたり形成されている。それ故に、移動部材を後退位置に向けて移動させたときに、針保持部材（即ち、注射針）が所定の保持部から離脱せず、この針保持部材が所定保持部に残留しやすい。
【０００７】
本発明の目的は、注射針を注射器本体から取り外して容器本体内に落下収容させやすい注射針廃棄用容器を提供することである。
【課題を解決するための手段】
【０００８】
本発明の請求項１に記載の注射針廃棄用容器は、注射器本体の先端部に着脱自在に螺着される針保持部材及び前記針保持部材に保持された針本体を有する注射針を廃棄するための注射針廃棄用容器であって、廃棄物を収容するための容器本体と、前記容器本体の開口部を覆う蓋体と、前記蓋体に設けられた装着部にスライド機構を介して一方側と他方側にスライド移動自在に装着された移動部材と、を備え、前記装着部には第１保持部が設けられ、前記移動部材には第２保持部が設けられ、前記移動部材を前記一方側又は前記他方側にスライドさせることで、前記第１保持部と前記第２保持部との間に前記注射針を保持又は落下させるための開口が形成され、
前記移動部材を前記一方側に移動させて保持位置に位置させると、前記第１保持部と前記第２保持部とは、相互に協働して前記注射針を保持するための注射針保持部を構成し、  前記注射針保持部に前記注射針が保持されると、前記注射針の片側は前記第１保持部に形成された第１保持領域により保持され、前記注射針の他側は前記第２保持部に形成された第２保持領域により保持され、前記移動部材を前記保持位置から前記他方側に移動させると、前記注射針保持部が開放されて前記注射針の落下が許容されるように構成されており、
前記移動部材が前記保持位置に位置づけられて、前記注射針が前記第１保持領域及び前記第２保持領域により保持されている状態において、前記第１保持部の開口端及び前記第２保持部の開口端は何れも基準中心軸線よりも前記一方側に位置し、前記基準中心軸線は、前記注射針の中心を通り、前記移動部材のスライド移動方向に対して実質上垂直に延びる線であることを特徴とする。
【０００９】
また、本発明の請求項２に記載の注射針廃棄用容器では、前記蓋体側の前記第１保持部の前記開口端の前記基準中心軸線からのずれ量Ｄは、前記注射針の前記針保持部材の外径をｄとしたときに（０．１〜０．４）ｄである（０．１ｄ≦Ｄ≦０．４ｄ）ことを特徴とする。
【００１０】
また、本発明の請求項３に記載の注射針廃棄用容器では、前記第２保持部には非保持領域が設けられ、前記第２保持領域には前記針保持部材に設けられた係合凹部と係合する係合突部が設けられ、前記非保持領域には前記係合凹部と係合するための係合突部は設けられてなく、前記移動部材が前記保持位置に位置づけられた状態において、前記第２保持領域は、前記基準中心線よりも前記他方側に位置し、前記非保持領域は、前記第２保持領域から前記基準中心線を超えて前記一方側に延びていることを特徴とする。
【００１１】
また、本発明の請求項４に記載の注射針廃棄用容器では、前記非保持領域は、前記一方側に向かうに従い径方向外方に拡がるように或いは前記一方側に向けて直線状に延びることを特徴とする。
【００１２】
また、本発明の請求項５に記載の注射針廃棄用容器では、前記係合突部は、前記注射針の外周面に形成された縦リブと係合する高さを備え、且つ、前記移動部材のスライド時に前記注射針の外周面の前記縦リブに対してスライド方向の力が加わらないように形状付けられている。
【００１３】
また、本発明の請求項６に記載の注射針廃棄用容器は、注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体とを備え、
前記蓋体は、第１保持部と、前記第１保持部に対して一方側と他方側にスライド移動させることで前記第１保持部との間に前記注射針を保持又は落下させるための開口が形成される第２保持部と、を有し、
前記第２保持部を前記一方側の端部に位置する保持位置まで移動させると、前記第１保持部と前記第２保持部とは、相互に協働して前記注射針を保持するための注射針保持部を構成し、前記注射針保持部に前記注射針が保持されると、前記注射針の片側は前記第１保持部に形成された第１の保持領域により保持され、前記注射針の他側は前記第２保持部に形成された第２の保持領域により保持され、前記第２保持部を前記保持位置から前記他方側に移動させると、前記注射針保持部が開放されて前記注射針の落下が許容されるように構成されており、
前記注射針保持部は、前記一方側に位置する前記第１の保持領域と、前記他方側に位置する前記第２の保持領域と、前記第１の保持領域と前記第２の保持領域との間に位置する非保持領域を備え、
前記第１の保持領域及び前記第２の保持領域は各々に前記注射針を保持するための複数の係合突部を有する一方、前記非保持領域は前記注射針を保持するための係合突部を有しておらず、
前記注射針が前記注射針保持部により保持されている状態において、前記第１の保持領域及び前記第２の保持領域は前記注射針と係合する一方、前記非保持領域は前記注射針と係合しないことを特徴とする。
また、本発明の請求項７に記載の注射針廃棄用容器では、前記係合突部は、前記注射針の外周面に形成された縦リブと係合する高さを備え、且つ、前記移動部材のスライド時に前記注射針の外周面の前記縦リブに対してスライド方向の力が加わらないように形状付けられていることを特徴とする。
更に、本発明の請求項８に記載の注射針廃棄用容器は、注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体とを備え、
前記蓋体は、第１保持部と、前記第１保持部に対して一方側と他方側にスライド移動させることで前記第１保持部との間に前記注射針を保持又は落下させるための開口が形成される第２保持部と、を有し、
前記第２保持部を前記一方側に移動させて保持位置に位置させると、前記第１保持部と前記第２保持部とは、相互に協働して前記注射針を保持するための注射針保持部を構成し、  前記注射針保持部に前記注射針が保持されると、前記注射針の片側は前記第１保持部に形成された第１保持領域により保持され、前記注射針の他側は前記第２保持部に形成された第２保持領域により保持され、前記第２保持部を前記保持位置から前記他方側に移動させると、前記注射針保持部が開放されて前記注射針の落下が許容されるように構成されており、
前記第２保持部が前記保持位置に位置づけられて、前記注射針が前記第１保持領域及び前記第２保持領域により保持されている状態において、前記第１保持部の開口端及び前記第２保持部の開口端は何れも基準中心軸線よりも前記一方側に位置し、前記基準中心軸線は、前記注射針の中心を通り、前記第２保持部のスライド移動方向に対して実質上垂直に延びる線であることを特徴とする。
【発明の効果】
【００１４】
本発明によれば、注射針を注射器本体から取り外して容器本体内に落下収容させやすい注射針廃棄用容器を提供することができる。
【図面の簡単な説明】
【００１５】
【図１】本発明に従う注射針廃棄用容器の一実施形態を示す斜視図。
【図２】図１の注射針廃棄用容器における装着部及びこの装着部に装着される移動部材を分解して示す分解斜視図。
【図３】移動部材が保持位置に位置付けられたときの状態を上面側か見た図。
【図４】移動部材が後退位置に位置付けられたときの状態を上面側から見た図。
【図５】移動部材が保持位置に位置付けられたときの状態を下面側からみた図。
【図６】移動部材が後退位置に位置付けられたときの状態を下面側から見た図。
【図７】図３におけるＶＩＩ−ＶＩＩ線による断面図。
【図８】移動部材が保持位置に位置付けられたときの注射針保持部及びその近傍を拡大して示す部分拡大平面図。
【図９】移動部材が後退位置に位置付けられたときの注射針保持部及びその近傍を拡大して示す部分拡大平面図。
【図１０】図３におけるＸ−Ｘ線による断面図。
【図１１】図４におけるＸＩ−ＸＩ線による断面図。
【図１２】変形形態の注射針保持部を移動部材を保持位置に位置付けた状態で示す部分拡大平面図。
【図１３】図１２の注射針保持部を移動部材を後退位置に位置付けた状態で示す部分拡大平面図。
【図１４】更に他の変形形態の注射針保持部を移動部材を後退位置に位置付けた状態で示す部分拡大平面図。
【発明を実施するための形態】
【００１６】
以下、添付図面を参照して、本発明に従う注射針廃棄用容器の一実施形態について説明する。図１において、図示の注射針廃棄用容器２は、例えば使用済みの注射針や脱脂綿などの医療廃棄物を収容するための容器本体４を備えている。容器本体４は上面が開放された箱状であり、この容器本体４の上面開口６はプレート状の蓋体８によって覆われている。また、蓋体８の後側部には、蓋体８の上面を覆うためのカバー体１０がヒンジ１２を介して開閉自在に取り付けられている。カバー体１０の先端部にはフック１４が設けられ、また蓋体８には、このフック１４に対応して受け凹部１６が設けられ、このフック１４が受け凹部１６に着脱自在に受け入れられる。この蓋体８には、矩形状の投入用開口１８が設けられており、例えば使用済みの脱脂綿などがこの投入用開口１８を通して容器本体４内に投入される。
【００１７】
この注射針廃棄用容器２では、ねじ式タイプの注射器２４（例えば、インシュリン用注射器）において注射針２６を廃棄することができるように、次の通りに構成されている。図１とともに図２〜図１１を参照して、このねじ式タイプの注射器２４は、注射器本体２８を備え、この注射器本体２８の先端部に注射針２６が螺着されている（図１及び図１０参照）。注射器本体２８の先端部には小径突部３０が設けられ、この小径突部３０の先端部に針取付部３２が設けられ、この針取付部３２の外周面に雄ねじ部３４が設けられている。注射針２６は、円筒状の針保持部材３６（所謂、ハブ）と、この針保持部材３６に保持された針本体３８とを有し、針保持部材３６の端壁（図示せず）を貫通して針本体３８が保持されている。この針保持部材３６の内周面には、注射器本体２８側の雄ねじ部３４に対応して雌ねじ部（図示せず）が設けられている。このように構成されているので、注射針２６の雌ねじ部を注射器本体２８の雄ねじ部３４に螺着することにより、注射器本体２８に注射針２６を取り付けて注射器２４として使用することができ、またこの状態で注射針２６を離脱方向に回動させることにより、注射器本体２８から注射針２６を取り外すことができる。
【００１８】
この実施形態では、注射針２６の針保持部材３６の外周面には、周方向に実質上等間隔をおいて複数（この形態では、図１０に示すように１６個）の係合凹部４０が設けられ、これら複数の係合凹部４０は、針保持部材３６の軸線方向（図１０及び図１１において上下方向）に直線状に延びており、このように係合凹部４０を設けることにより、隣接する係合凹部４０間に縦リブが形成され、これら縦リブは針保持部材３６の外周面に周方向に設けられる。
【００１９】
容器本体４側の蓋体８には装着部４４が設けられ、この装着部４４には矩形状の装着用凹部４６が設けられている（図２参照）。装着用凹部４６は蓋体８の上面に形成されており、この装着用凹部４６にはプレート状の移動部材４８が移動自在に配設され、この装着用凹部４６に沿ってスライド移動自在に装着されている。移動部材４８はプレート状であり、その両側部には、移動部材４８のスライド移動方向（図３〜図６、図１０及び図１１において左右方向、図７において紙面に対して垂直方向）に延びる一対の装着用爪部５０が設けられている。また、装着用凹部４６の両側部には、一対の装着用爪部５０に対応して一対の装着用開口５２が設けられ、これら装着用開口５２が上記スライド移動方向に延びている。移動部材４８側の一対の装着用爪部５０が一対の装着用開口部５２を通してそれらの縁部にスライド移動自在に係合されている（図７参照）。これら一対の装着用爪部５０及び一対の装着用開口部５２はスライド機構５３（図７参照）を構成し、このスライド機構５３を介して移動部材４８が保持位置（図３、図５、図８及び図１０に示す位置であって、後述する如く注射針２６を保持する位置）と、この保持位置から後退する後退位置（図４、図６、及び図１１に示す位置であって、注射針２６の保持状態を解除する位置）との間を所定方向にスライド移動される。
【００２０】
この実施形態では、蓋体８の装着部４４の一端部、具体的には装着用凹部４６の一端部に、略半円筒状の第１保持部５４が設けられ、この第１保持部５４は、容器本体４内に向けて下方に延びている。第１保持部５４の内周面（即ち、略半円弧状の凹状内面）における上端部には、第１保持凹部５６が設けられ、この第１保持凹部５６は、注射器本体２８の小径突部３０の先端部の外周形状に対応した形状を有し、後述する如く注射針２６を挿入すると、注射器本体２８の小径突部３０の先端面がこの第１保持凹部５６の底面５８に当接する（図１０参照）。
【００２１】
この第１保持部５４の内周面の大部分には、周方向に間隔をおいて複数の係合突部６０
が設けられ、これら複数の係合突部６０は、注射針２６の針保持部材３６の複数の係合凹部４０の形状に対応した形状を有し（図８、図１０及び図１１参照）、第１保持部５４の径方向内方に突出し、第１保持部５４の上部から下端まで下方に延びている。これら複数の係合突部６０が設けられた領域が保持領域として機能する。また、蓋体８の装着部４４に関連して、装着用凹部４６の一端側（この形態では、第１保持部５４側）に落下開口６２が設けられ、この落下開口６２は、装着用凹部４６の一端部からその中央部付近まで放物線状に延びている。
【００２２】
また、移動部材４８の一端部（即ち、第１保持部５４側の端部）には略半円筒状の第２保持部６４が設けられ、この第２保持部６４は、落下開口６２を通して容器本体４内に向けて下方に延びている。この第２保持部６４の内周面（即ち、略半円弧状の凹状内面）の上側部には第２保持凹部６６が設けられ、この第２保持凹部６６は、注射器本体２８の小径突部３０の外周面の形状に対応した形状を有し、後述する如く注射針２６を挿入すると、注射器本体２８の小径突部３０の先端面がこの第２保持凹部６６の底面６８に当接する（図１０参照）。
【００２３】
この第２保持部６４の内周面の大部分には、周方向に間隔をおいて複数の係合突部７０が設けられ、この複数の係合突部７０は、注射針２６の針保持部材３６の複数の係合凹部４０の形状に対応した形状を有し（図８、図１０及び図１１参照）、第２保持部６４の径方向内方に突出し、第２保持部６４の上部から下端まで下方に延びている。これら複数の係合突部７０が設けられた領域が保持領域として機能し、第１保持部５４の複数の係合突部６０と第２保持部６４の複数の係合突部７０との間の領域が係合突部が存在しない非保持領域となる。
【００２４】
この注射針廃棄用容器２では、移動部材４８を保持位置に位置付けると、移動部材４８の一端部が装着用凹部４６の一端部に接触乃至近接し、蓋体８側の第１保持部５４と移動部材４８側の第２保持部６４とは、相互に協働して円筒状の注射針保持部７２を構成し、複数の係合突部６０，７０は、かかる注射針保持部７２の内周面に間隔をおいて配置される係合突部を構成する（図３、図５、図８及び図１０参照）。また、第１保持部５４の第１保持凹部５６と第２保持部６４の第２保持凹部６６とは、相互に協働して注射器本体２８の小径突部３０の先端部を着脱自在に受け入れる保持凹部を構成する。
【００２５】
また、この移動部材４８を後退位置に位置付けると、移動部材４８の他端部が装着用凹部４６の他端部に接触乃至近接し、第２保持部６４が第１保持部５４から離隔して注射針保持部７２が開放される（図４、図６、図９及び図１１参照）。尚、第１及び第２保持部５４，６４については、後に詳述する。
【００２６】
この実施形態では、移動部材４８に関連して、この移動部材４８を保持位置にロック保持するためのロック機構７６が設けられている。このロック機構７６は、移動部材４８の下方において装着用凹部４６の中央部に傾動自在に設けられた傾動部材７８と、移動部材４８の下面に設けられたロック用突部８０とから構成されている。傾動部材７８の先端部には、ロック用爪部８２が上方に幾分突出して設けられ、このロック用爪部８２の先端部には第１テーパ部８６が形成されている。また、ロック用突部８０の先端部には、ロック用爪部８２の第１テーパ部８６に対応して第２テーパ部８４が形成されている。
【００２７】
また、傾動部材７８の上面の一部には、その基端部側から先端部側に向けて上り傾斜となる傾斜面８８が設けられている（図１０及び図１１参照）。また、移動部材４８には楕円形状の操作用開口９０が設けられ、この操作用開口９０を通して傾動部材７８の上面（傾斜面８８）が外部に露出されている。操作用開口９０の縁部には、リング状の操作用突部９２が上方に幾分突出して設けられており、このように操作用突部９２を設けることにより、操作用開口９０をとおしての傾動部材７８の傾斜面８８の押圧操作が容易となる。
【００２８】
この傾動部材７８は、ロック用爪部８２がロック用突部８０に係合するロック位置（図１０において実線で示す）と、ロック用爪部８２がロック用突部８０から離脱するロック解除位置（図１０において一点鎖線で示す）との間を上下方向に傾動自在である。この傾動部材７８は、上記ロック位置と上記ロック解除位置との間を弾性変形可能であり、通常ロック位置に保持される。
【００２９】
この実施形態では、装着用凹部４６に移動用開口９４が設けられ、この移動用開口９４は、ロック用突部８０の移動経路に沿って延びている。移動部材４８の他端部（第２保持部６４とは反対側の端部）には目隠し部９６が設けられ、この目隠し部９６は、下方にＬ字状に延びている。移動部材４８が上記保持位置に位置付けられた際に、この目隠し部９６は、装着用凹部４６の移動用開口９４の一部を下方より覆う。また、移動部材４８の下面において、操作用開口９０と移動部材４８側の第２保持部６４との間にはぬすみ部９８が設けられている。このぬすみ部９８は、移動部材４８が上記後退位置に位置付けられた際に、後退位置に移動した移動部材４８が傾動部材７８の上面に干渉するのを防止する（図１１参照）。
【００３０】
次に、主として図８及び図９を参照して、蓋体８側の第１保持部５４及び移動部材４８側の第２保持部６４について説明する。この実施形態では、第１保持部５４の開口端は、移動部材４８が上記保持位置に位置するときに構成される注射針保持部７２の中心Ｐ（図８参照）を通り且つ矢印１００で示すスライド移動方向に対して実質上垂直な基準中心軸線Ｌを基準にして、蓋体８側の第１保持部５４側にずれて位置しており、この開口端の基準中心軸線Ｌからのずれ量Ｄ（図８参照）は、注射針２６の針保持部材３６の外径をｄとしたときに（０．１〜０．４）ｄである（０．１ｄ≦Ｄ≦０．４ｄ）のが好ましく、（０．１５〜０．３）ｄであるのが更に望ましい。第１保持部５４の開口端をこのように基準中心軸線Ｌに対して第１保持部５４側にずらすことにより、移動部材４８が上記後退位置に向けて移動したときに、蓋体８側の第１保持部５４に保持された注射針２６の半分を超える部分がこの第１保持部５４から露出する。
【００３１】
一般的に、注射針２６は中心を通る任意の径方向の軸線に対して対称に形成され、その重心は、注射針保持部７２に挿入保持された状態ではこの注射針保持部７２の中心Ｐに位置しており、従って、図８から理解されるように、移動部材４８を上記後退位置に移動させたときに、注射針２６の自重が蓋体８側の第１保持部５４から離脱落下させる力として作用し、その自重を利用して注射針２６を容器本体４内に落下収容させることができる。
【００３２】
第１保持部５４のずれ量Ｄが過小であると、移動部材４８を上記後退位置に移動させたときの第１保持部５４からの注射針２６の露出量が少なく、注射針２６の自重による離脱落下力が小さくなり、注射針２６の自重を利用した落下収容ができなくなるおそれがあり、またこのずれ量Ｄが過大であると、蓋体８側の第１保持部５４の複数の係合突部６０と注射針２６の針保持部材３６の複数の係合凹部４０との係合状態が充分でなくなり、後述する注射器本体２８の注射針２６からの離脱ができなくなるおそれがある。
【００３３】
第１保持部５４の開口端が基準中心軸線Ｌから第１保持部５４側にずれていることに関連して、更に、次の通りに構成されている。即ち、移動部材４８側の開口端部１０２、１０４は、基準中心軸線Ｌから第１保持部５４側に延び、それらの内面は第１保持部５４側に向けて幾分径方向外方に拡がるように構成され、かかる開口端部１０２，１０４の内面には、注射針２６側の針保持部材３６の複数の係合凹部４０に係合する係合突部が設けられておらず、かかる開口端部１０２，１０４の内面が非保持領域となっている。このように第２保持部６４の開口端部１０２、１０４を径方向に拡がるように構成するとともに、かかる開口端部１０２，１０４の内面を平面状にする（換言すると、係合突部が存在しない非保持領域とする）ことにより、かかる開口端部１０２，１０４が第１保持部５４に保持された注射針２６の針保持部材３６に作用することがなく、移動部材４８の上記保持位置への移動及び上記後退位置への移動をスムースに行うことができる。尚、この第２保持部６４の開口端部１０２，１０４の内面は、開口端に向けて径方向外方に拡がるようにしているが、このような構成に代えて、この開口端に向けて接線方向に直線状に、或いは凹部を設けて開口端に向けて直線状に延びるようにしてもよい（後述する図１２及び図１３参照）。
【００３４】
次に、上述した注射針廃棄用容器２を用いて、ねじ式タイプの注射器２４の注射針２６を廃棄する方法について説明する。まず、移動部材４８を上記保持位置に位置付ける。かくすると、図１０に示すように、傾動部材７８のロック用爪部８２が蓋体８側のロック用突部８０に係合してロック機構７６がロック状態となり、この移動部材４８が上記保持位置にロック保持され、蓋体８側の第１保持部５４と移動部材４８側の第２保持部６４とが注射針保持部７２を構成する。
【００３５】
次いで、この状態において、使用済みの注射針２６の針保持部材３６を注射針保持部７２内に挿入する（図１０参照）。かく挿入すると、注射器本体２８の小径突部３０の先端部が注射針保持部７２の保持凹部（第１保持部５４の第１保持凹部５６及び第２保持部６４の第２保持凹部６６）に当接し、注射針２６が注射針保持部７２に保持される。この保持状態においては、第１及び第２保持部５４，６４の複数の係合突部６０，７０が針保持部材３６の外周面の複数の係合凹部４０に係合した状態に保持される。
【００３６】
次に、注射針２６を容器本体４側の注射針保持部７２に挿入した状態で、注射器本体２８を注射針２６に対して図１０に矢印Ｒで示す離脱方向に回動する。かく回動すると、針保持部材３６の雌ねじ部（図示せず）と注射器本体２８の針取付部３２の雄ねじ部３４との螺合状態が解除され、注射器本体２８が注射針２６の針保持部材３６から取り外される。このとき、移動部材４８がロック機構７６によって上記保持位置にロック保持されているので、注射器本体２８を注射針２６に対して相対的に回転させる際に、この移動部材４８が上記後退位置にスライド移動することがない。
【００３７】
その後、指先を操作用開口９０に挿入して傾動部材７８の上面を下方に押圧し、傾動部材７８を下方に傾動させてロック用爪部８２と蓋体８側のロック用突部８０との係合を解除し（即ち、ロック機構７６のロック状態を解除する）、かくロック解除した状態でもって指先を操作用突部９２に引っ掛けるなどして、移動部材４８を上記保持位置から上記後退位置にスライド移動させる。かくスライド移動させると、図１１に示すように、移動部材４８側の第２保持部６４が、蓋体８側の第１保持部５４に保持された注射針２６（即ち、針保持部材３６）から離れ、この注射針２６がその自重でもって移動部材４８側に傾き、その針保持部材３６が第１保持部５４から離脱し、かく離脱した注射針２６が落下開口６２を通して容器本体４内に落下収容される。このように注射針２６の自重を利用し、移動部材４８を後退位置に移動させるという簡単な操作でもって、注射器本体２８から外した注射針２６を容器本体４内に収容することができる。
【００３８】
注射針２６を容器本体４内に回収した後には、次の回収準備として、移動部材４８を上記後退位置から上記保持位置にスライド移動させる。このとき、ロック用爪部８２の第１テーパ部８６がロック用突部８０の第２テーパ部８４上をスライド移動し、これによって、傾動部材７８が下方に傾動されてロック用爪部８２がロック用突部８０に係合し、このようにしてロック機構７６がロック状態となり、移動部材４８が上記保持位置にロック保持される。
【００３９】
上述した実施形態では、移動部材４８側の第２保持部６４において、その底部から基準中心軸線Ｌまでの領域、即ち１８０度の角度範囲にわたって複数の係合突部７０が設けられているが、これら係合突部７０が径方向内方に突出しているために、それらの突出量が大きくなると、移動部材４８を上記後退位置に向けて移動させた際に移動部材４８に保持された状態で注射針２６（針保持部材３６）が後退位置に移動するおそれが生じる。従って、このような問題を解消するためには、図１２及び図１３に示すように構成するのが望ましい。尚、この変形形態において、図１〜図１１に示す実施形態と実質上同一の部材には同一の参照番号を付し、その説明を省略する。
【００４０】
図１２及び図１３において、この変形形態では、移動部材４８Ａの第２保持部６４Ａの底部から一端側の開口端部１０２Ａ側に第１所定角度α１までの第１底部領域Ｓ１及びこの底部から他端側の開口端部１０４Ａ側に第２所定角度α２までの第２底部領域Ｓ２の内面には、これら底部領域Ｓ１，Ｓ２にわたって複数の係合突部７０が設けられて保持領域となり、これら複数の係合突部７０が針保持部材３６の他端側においてその係合凹部４０に係合する。また、この第１所定角度α１からその一端側の開口端部１０２Ａの開口端までの第１開口部領域Ｋ１及び第２所定角度α２からその他端側の開口端部１０４Ａの開口端までの第２開口部領域Ｋ２の内面は平面状に形成されて非保持領域となり、これらの開口部領域Ｋ１，Ｋ２には、針保持部材３６の係合凹部４０に係合する係合突部が存在しない。
【００４１】
第１底部領域Ｓ１と第１開口部領域Ｋ１（非保持領域）との第１境界Ｑ１となる第１所定角度α１は、３０〜７０度であるのが好ましく、３５〜５０度であるのがより好ましく、また第２底部領域Ｓ２と第２開口部領域Ｋ２（非保持領域）との第２境界Ｑ２となる第２所定角度α２も、３０〜７０度であるのが好ましく、３５〜５０度であるのがより好ましい。
【００４２】
例えば、上述したように、外周面に周方向に等間隔をおいて１６個の係合凹部４０を有する針保持部材３６を備えた注射針に適用する場合、移動部材４８Ａ側の第２保持部６４Ａにおける第１底部領域Ｓ１に二つの係合突部７０（保持領域）が存在し、また第２底部領域Ｓ２に二つの係合突部７０（保持領域）が存在するように構成することができる。
【００４３】
第１及び第２底部領域Ｓ１，Ｓ２を規定する第１及び第２所定角度α１，α２が過小になると、針保持部材３６の係合凹部４０に係合する係合突部７０の個数が少なくなり、針保持部材３６側の複数の係合凹部４０と第２保持部６４Ａ側の係合突部７０との係合状態が充分でなくなるおそれがあり、また第１及び第２所定角度α１，α２が過大になると、第２保持部６４Ａの係合突部７０（特に、開口端部側に位置する係合突部７０）が針保持部材３６の係合凹部４０から離脱し難くなり、移動部材４８Ａを上記後退位置に向けて移動させた際に、この移動部材４８Ａとともに針保持部材３６が後退位置に向けて移動するおそれがある。
【００４４】
この変形形態のその他の構成（例えば、蓋体８側の第１保持部５４などの構成）は、上述した構成と実質上同一でよい。このような変形形態では、移動部材４８Ａの第２保持部６４Ａの第１及び第２開口部領域Ｋ１，Ｋ２が係合突部が存在しない非保持領域となっているので、第２保持部６４Ａの第１及び第２開口部領域Ｋ１，Ｋ２の内面が注射針保持部７２Ａに保持された針保持部材３６に作用することがなく、これによって、移動部材４８Ａを図１２に示す保持位置から図１３に示す後退位置に移動させても、この移動部材４８Ａとともに針保持部材３６（即ち、注射針）が移動することがなく、その結果、上述したように、蓋体８側に残る注射針（針保持部材３６）をその自重を利用して容器本体内に確実に落下収容することができる。
【００４５】
例えば、上述した実施形態では、第１所定角度α１と第２所定角度α２とを同一の角度に設定しているが、必ずしも同一の角度に設定する必要はなく、第１所定角度α１を第２所定角度α２よりも大きく（又は小さく）設定するようにしてもよい。
【００４６】
以上、本発明に従う注射針廃棄用容器の一実施形態について説明したが、本発明はかかる実施形態に限定されるものではなく、本発明の範囲を逸脱することなく種々の変形乃至修正が可能である。
【００４７】
例えば、上述した実施形態では、注射針２６の針保持部材３６の外周面に複数の係合凹部４０を設けるとともに、蓋体８側の第１保持部５４及び移動部材４８側の第２保持部６４の内周面に複数の係合突部６０，７０を設けているが、このような構成とは反対に、注射針２６の針保持部材３６側に複数の係合突部を設けるとともに、第１及び第２保持部５４，６４側に複数の係合凹部を設けるようにしてもよい。
【００４８】
上述した注射針廃棄用容器の効果は、下記の通りである。この注射針廃棄用容器では、移動部材はスライド機構を介して保持位置と後退位置の間をスライド自在に装着され、この移動部材を保持位置に位置付けると、蓋体側の第１保持部と移動部材側の第２保持部とが、注射針の針保持部材を保持するための注射針保持部を構成する。注射器の注射針を廃棄する際には、移動部材が保持位置に位置付けられ、注射針の針保持部材が，第１及び第２保持部により構成される注射針保持部に挿入保持され、蓋体側の第１保持部が注射針の片側を、移動部材側の第２保持部がこの注射針の他側を保持する。この挿入保持状態において、注射器本体を離脱方向に回転させると、容器本体側の注射針保持部に保持された針保持部材から注射器本体が取り外される。その後、移動部材を後退位置に位置付けると、移動部材の第２保持部が注射針の針保持部材から離れて保持状態が解除され、これにより、注射針が落下開口を通して容器本体内に落下収容される。
【００４９】
また、蓋体側の第１保持部の開口端は、保持位置状態の注射針保持部の基準中心軸線を基準にして、第１保持部側にずれて位置しているので、移動部材を後退位置まで移動させると、蓋体側の第１保持部から注射針の針保持部材の半分を超える部分が外部に露出され、注射針の重心は蓋体側の第１保持部の外側に位置するようになる。従って、蓋体側の第１保持部に保持された針保持部材の自重が離脱落下させる力として作用しやすく、これによって、注射器本体から外れた注射針を容器本体内に落下収容することができる。
【００５０】
また、蓋体側の第１保持部の開口端の基準中心軸線からのずれ量Ｄは、注射針の針保持部材の外径をｄとしたときに（０．１〜０．４）ｄであるので、移動部材を後退位置まで移動させると、この第１保持部に保持された注射針の重心は、この第１保持部の開口端より外側に（０．１〜０．４）ｄの距離だけ離れた位置となり、従って、かかる距離に起因して第１保持部に保持された針保持部材の自重が離脱落下させる力として作用し、これによって、注射器本体から外れた注射針を容器本体内に落下収容することができる。
【００５１】
また、注射針の針保持部材の外周面には、周方向に間隔をおいて複数の係合凹部（又は係合突部）が設けられ、蓋体側の第１保持部及び移動部材側の第２保持部の内周面には、周方向に間隔おいて複数の係合突部（又は係合凹部）が設けられているので、針保持部材側の複数の係合凹部（又は係合突部）を容器本体側の第１及び第２保持部の複数の係合突部（又は係合凹部）に係止保持することができる。
【００５２】
また、注射針の針保持部材の外周面には複数の係合凹部が設けられ、蓋体側の第１保持部及び移動部材側の第２保持部の内周面には複数の係合突部が設けられているので、このような形態の注射針の廃棄に好適な廃棄用容器として提供することができる。また、移動部材側の第２保持部における基準中心軸線から第１保持部側に突出する開口端部は、蓋体側の第１保持部側に向けて直線状に（又は径方向外方に拡がるように）延び、この第２保持部の開口端部の内面には係合突部が存在していないので、この第２保持部の開口端部が注射針の針保持部材の外周面に作用することがなく、移動部材を後退位置に移動させた際に、注射器本体から外れた注射針が容器本体内にスムースに落下収容される。
【００５３】
また、移動部材側の第２保持部においては、この第２保持部の第１底部領域及び第２底部領域にわたって複数の係合突部が設けられ、その第１開口部領域及び第２開口部領域には係合突部が存在しないので、保持位置に保持された状態においては、第１及び第２底部領域の複数の係合突部が注射針の針保持部材の複数の係合凹部に係合して確実に保持し、また後退位置に移動させたときには、第２保持部側の複数の係合突部が蓋体側の第１保持部に保持された注射針の針保持部材の外周面に作用することがなく、移動部材を後退位置に移動させた際に第２保持部に保持されて注射針が後退位置に移動するのを防止することができる。
【００５４】
また、第１底部領域と第１開口部領域との第１境界となる第１所定角度は３０〜７０度であり、また第２底部領域と第２開口部領域との第２境界となる第２所定角度は３０〜７０度であるので、移動部材を後退位置に移動させたときには、第２保持部側の複数の係合突部が蓋体側の第１保持部に保持された注射針の針保持部材の外周面に作用することがなく、移動部材を後退位置に移動させた際に第２保持部に保持されて注射針が後退位置に移動されるのを確実に防止することができる。
【００５５】
また、ロック機構が蓋体側の傾動部材と移動部材側のロック用突部とから構成され、傾動部材の先端部にロック用爪部が設けられているので、傾動部材のロック用爪部が移動部材のロック用突部に係合することによって、移動部材を保持位置にロック保持することができる。また、操作用開口部を通して傾動部材の上面が外部に露出されているので、指先などを操作用開口部に挿入し、この指先などで傾動部材の上面を押圧してこのロック状態を解除することができ、加えて、このロック解除位置に傾動させる操作と、指先などを操作用開口部に引っ掛けて移動部材を後退位置にスライド移動させる操作とを一動作で行うことができる。
【００５６】
また、前記移動部材側の前記第２保持部の内周面には注射針と係合する保持領域と注射針と係合しない非保持領域が設けられている。このため、移動部材の後退位置へのスライド後、注射針が第２保持部に残留してしまう可能性を低減させることができる。
【００５７】
また、非保持領域は前記移動部材側の前記第２保持部における前記基準中心軸線から前記第１保持部側に突出する部分に設けられている。すなわち、非保持領域が第２保持部における開口側に設けられている。このため、移動部材の後退位置へのスライド後、注射針が第２保持部から離れやすく、廃棄容器内に落下収容させやすい。
【００５８】
また、前記保持領域は注射針と係合する係合突部であり、前記係合突部は、注射針外周面に形成された縦リブと係合する高さを備え、且つ、前記移動部材のスライド時に注射針外周面の縦リブに対してスライド方向の力が加わらないように形状付けられている。このため、移動部材のスライド時に、注射針が移動部材側に保持されたままスライドする事態がなく、確実に注射針を廃棄容器本体内に落下収容させることができる。
【００５９】
本発明の応用変形例としては、前記移動部材の第２保持部及び蓋体側の第１保持部は、注射針と係合する保持領域を有し、前記移動部材の第２保持部及び／又は蓋体側の第１保持部は、注射針と係合しない非保持領域とを有し、非保持領域は保持部における開口端部側に設けられており、前記保持領域は注射針と係合する係合突部であり、前記係合突部は、注射針外周面に形成された縦リブと係合する高さを備え、且つ、前記移動部材のスライド時に注射針外周面の縦リブに対してスライド方向の力が加わらないように形状付けられている形態が考えられる。この場合、前記蓋体側の第１保持部及び前記移動部材側の第２保持部における保持領域は、前記移動部材のスライド移動時に注射針に対してスライド移動方向に力が加わらない。つまり、前記移動部材のスライド移動時において、保持部は注射針を保持不可能に形成されている。よって、前記移動部材のスライド移動時に伴い、自然に注射針は廃棄容器内に落下収容される。なお、本形態においては、前記蓋体側の前記第１保持部の開口端は、前記保持位置状態の前記注射針保持部の中心を通り且つ前記移動部材のスライド移動方向に対して実質上垂直な基準中心軸線に対して、前記第１保持部側にずれて位置していなくともよい。
【００６０】
この変形形態では、移動部材の上記後退位置に向けての移動の際に注射針の縦リブにスライド方向の力が作用しないように、例えば、図１４に示すように構成される。即ち、第２保持部６４Ｂの非保持領域Ｋ１，Ｋ２の開口側部７４，７６は、開口端に向けて内径が漸増するように構成され、これによって第２保持部６４Ｂの開口側部７４，７６は、開口端側に向けて半円形状よりも幾分拡がるように形成されている。このように構成することによって、移動部材４８Ｂが上記後退位置に向けて移動する際に、この第２保持部６４Ｂの内周面が注射針２６の縦リブに作用することがなく、この縦リブに移動部材４８Ｂからの力が作用するのを回避することができる。
【００６１】
加えて、第２保持部６４Ｂに設けられた各係合突部７０Ｂは、その両側面８０，８２が先端（即ち、径方向内方）に向けて内側に傾斜し、各係合突部７０Ｂの横断面形状が台形状に形成されている。このように構成することによって、移動部材４８Ｂが上記後退位置に向けて移動する際に、第２保持部６４Ｂの複数の係合突部７０Ｂが注射針２６の縦リブに作用することがなく、係合突部７０Ｂを介した移動部材４８Ｂからの力が注射針２６の縦リブに作用するのを回避することができる。このため、移動部材４８Ｂを上記後退位置に向けて移動した際に、注射針２６の針保持部材３６が移動部材４８Ｂに持ってかれることがない。尚、各係合突部７０Ｂの側面８０，８２のこのような傾斜は、その両側面に設ける必要はなく、その片側（即ち、開口端部１０２Ａ，１０４Ａ側とは逆の側面８２）に設けることによって所望の効果を達成することができる。
【００６２】
このように、非保持領域を第１保持部及び／或いは第２保持部に設けることにより、所定保持部に注射針が残留しないようにすることができ、このため、注射針を注射器本体から取り外して容器本体内に落下収容させやすい注射針廃棄用容器を実現することができる。
【００６３】
以上が図を基にした実施形態であるが、本発明は当該実施形態のみに限られることはない。例えば、実施形態では、装着部の一端に第１保持部が形成されるとともに、移動部材の一端に第２保持部が形成されているが、装着部にスライド自在な二つの移動部材を有し、当該二つの移動部材のそれぞれに第１保持部と第２保持部を形成してもよく、つまりは、複数の移動部材により注射針保持部が形成されていてもよい。
【符号の説明】
【００６４】
２  注射針廃棄用容器
４ 容器本体
８ 蓋体
２６ 注射針
２８ 注射器本体
３６ 針保持部材
４０ 係合凹部
４４  装着部
４８，４８Ａ，４８Ｂ
移動部材
５０ 装着用爪部
５２ 装着用開口
５４  第１保持部
６０，７０  係合突部
６２ 落下開口
６４，６４Ａ，６４Ｂ
第２保持部
７２  注射針保持部
７６ ロック機構
【図１】
0006346025.tif 000002
【図２】
0006346025.tif 000003
【図３】
0006346025.tif 000004
【図４】
0006346025.tif 000005
【図５】
0006346025.tif 000006
【図６】
0006346025.tif 000007
【図７】
0006346025.tif 000008
【図８】
0006346025.tif 000009
【図９】
0006346025.tif 000010
【図１０】
0006346025.tif 000011
【図１１】
0006346025.tif 000012
【図１２】
0006346025.tif 000013
【図１３】
0006346025.tif 000014
【図１４】
0006346025.tif 000015